(57)【要約】【課題】既存の排水集合管継手を用いて、一方の横枝管からの排水が対向する他方の横枝管に流入することを防止しつつ２本の横枝管を排水集合管継手に対向状態で接続する。【解決手段】多層建築物の各階を縦方向に貫いて配管された排水立て管２と、排水立て管２に対して各階ごとに配設された排水集合管継手３と、排水集合管継手３とトイレＴなどの衛生設備との間に接続された複数本の横枝管４，４０とから構成され、２本の横枝管４，４０が排水集合管継手３に対向状態で接続され、一方の横枝管４の水平部４１には、左右の側壁が外側に膨出されるとともに、内部に水衝部５１を備えた排水減速部材５が設けられている。このため、排水が水衝部５１に衝突して左方および右方へ分流される一方、分流された左右の排水が合流されて排水の水勢が減衰される。【選択図】図１
2008157000.tif 000002
【特許請求の範囲】
【請求項１】
多層建築物の各階を縦方向に貫いて配管された排水立て管と、排水立て管に対して各階ごとに配設された排水集合管継手と、排水集合管継手と衛生設備との間に接続された複数本の横枝管とから構成され、これらの横枝管のうちの２本が排水集合管継手に対向状態で接続された多層建築物の排水システムにおいて、前記横枝管の水平部には、左右の側壁が外側に膨出されるとともに、内部に水衝部を備えた排水減速部材が設けられてなり、排水減速部材に流入した排水が水衝部に衝突して左方および右方へ分流される一方、分流された左右の排水が水衝部の背面側において衝突しつつ合流されて流出することを特徴とする多層建築物の排水システム。
【請求項２】
前記水平部の管軸と直交する垂直面による排水減速部材の断面形状が、水平部の管軸を含む垂直面に関して面対称であることを特徴とする請求項１に記載の多層建築物の排水システム。
【請求項３】
前記水平部の管軸と直交する垂直面を投影面として水衝部を投影した際の投影面積が、排水減速部材を除く水平部の流水断面積の１／３以上であることを特徴とする請求項１または２に記載の多層建築物の排水システム。
【請求項４】
前記排水減速部材の任意の箇所における流水断面積が、排水減速部材を除く水平部の流水断面積よりも大きいことを特徴とする請求項１乃至３のいずれかに記載の多層建築物の排水システム。
【請求項５】
前記排水減速部材の上壁が平面であるとともに、少なくとも外方の側壁の上半部が上壁に略直交する垂直面であることを特徴とする請求項１乃至４のいずれかに記載の多層建築物の排水システム。
【請求項６】
左右の側壁が外側に膨出されるとともに、内部に水衝部が設けられてなり、流入口より内部に流入した排水が水衝部に衝突して左方および右方へ分流され、分流された左右の排水が水衝部の背面側において衝突しつつ合流されて流出口より流出することを特徴とする排水減速部材。
【発明の詳細な説明】
【技術分野】
【０００１】
本発明は、多層建築物の排水立て管に対して各階ごとに介装された排水集合管継手と、この排水集合管継手に接続された複数本の横枝管とを備えた多層建築物の排水システム、および、排水システムに用いられて排水を減速する排水減速部材に関する。
【背景技術】
【０００２】
集合住宅、ホテル、および、病院などの多層建築物においては、排水のために、各階を縦方向に貫いた排水立て管が配管されている。そして、排水立て管には各階ごとに排水集合管継手が介設され、それぞれの排水集合管継手に複数本の横枝管が接続された構造となっている。例えば、集合住宅の場合においては、横枝管は、一端が住居内に設置されているトイレ、風呂、流し、洗面台などの衛生設備の排水管に接続され、他端が排水集合管継手に接続されており、衛生設備からの排水を横枝管を経て排水集合管継手まで流すようにしている。
【０００３】
このような排水集合管継手には、複数本の横枝管が略同じ高さで接続される一方、それらのうちの２本の横枝管が対向状態（相互の管口が対峙した状態）で接続されることも少なくない。このような接続状態で、トイレ排水などの勢いの強い排水が一方の横枝管から排水集合管継手へと流れると、排水の勢いが強いことから、排水が排水集合管継手を飛び越して他方の横枝管内に流入してしまうことがある。この場合、トイレ排水が他方の横枝管内に流入した後、トイレ排水中に含まれていた汚物が排水集合管継手を経て排水立て管に流れ落ちずそのまま残存すると、最悪の場合他方の横枝管から衛生設備室内へと悪臭が上がってくるといった問題があった。
【０００４】
このような問題に対応して、対向する横枝管への排水の流入を防止するため、２つの管口を直交する向きに設けるとともに、そのうちの一方の管口に一体的にエルボー継手を設けた排水集合管継手が提案されている（例えば、特許文献１参照）。この排水集合管継手においては、排水集合管継手に接続された２つの横枝管が対向しないため、トイレ排水などの勢いの強い排水が一方の横枝管から他方の横枝管内に流入することはない。
【特許文献１】特開２００４−８４３９４号公報
【発明の開示】
【発明が解決しようとする課題】
【０００５】
しかしながら、多層建築物においては、排水集合管継手を設置するための配管スペースは限られており、前述した排水集合管継手はエルボー継手を一体的に備えている関係上、その分体積が大きくならざるを得ないことから、配管スペースに収まりきらないという問題がある他、排水集合管継手とエルボー継手とを一体的に成形する必要があり、複雑な形状の高価な金型が別途必要であり、製造コストが増加するといった問題があった。
【０００６】
また、一方の横枝管がエルボー継手を介して排水集合管継手に接続されているため、一方の横枝管と他方の横枝管とは管軸がずれた状態で接続されることから、従来の排水集合管継手に横枝管が対向状態で接続されたものと比較して、横枝管の配管設計が制限される場合もあった。
【０００７】
本発明は係る実情に鑑みてなされたもので、既存の排水集合管継手を用いて、一方の横枝管からの排水が対向する他方の横枝管に流入することを防止しつつ２本の横枝管を排水集合管継手に対向状態で接続することのできる多層建築物の排水システムおよび排水を減速させることのできる排水減速部材を提供するものである。
【課題を解決するための手段】
【０００８】
本発明の排水システムは、多層建築物の各階を縦方向に貫いて配管された排水立て管と、排水立て管に対して各階ごとに配設された排水集合管継手と、排水集合管継手と衛生設備との間に接続された複数本の横枝管とから構成され、これらの横枝管のうちの２本が排水集合管継手に対向状態で接続された多層建築物の排水システムにおいて、前記横枝管の水平部には、左右の側壁が外側に膨出されるとともに、内部に水衝部を備えた排水減速部材が設けられてなり、排水減速部材に流入した排水が水衝部に衝突して左方および右方へ分流される一方、分流された左右の排水が水衝部の背面側において衝突しつつ合流されて流出することを特徴とするものである。
【０００９】
本発明によれば、排水減速部材に流入してきた排水は、水衝部に衝突して水勢が弱められつつ左方および右方に分流されるとともに、順次排水減速部材に流入する排水が、減速されて水深を増した左右に分流された排水に衝突することで水勢が弱められる。また、左右に分流された排水は排水減速部材の側壁に衝突して水勢が弱められ、さらに、分流された排水が水衝部の背面側において合流する際に排水同士が互いに衝突して排水の水勢が弱められる。
【００１０】
この結果、排水減速部材から流出される排水は水勢が大きく弱められるため、排水集合管継手を飛び越えて対向する横枝管内に流入することが抑制される。
【００１１】
ここで、横枝管の水平部とは、例えば、衛生設備の排水管と排水集合管継手との間に接続される横枝管のうち、排水集合管継手に水勾配を有して略水平に接続される部分をいう。例えば、トイレ、具体的には、壁排水式トイレの場合には、排水管とに接続される横枝管のうち、クランク状屈曲部を除く下流側部分であり、床排水式トイレの場合には、排水管と排水集合管継手とに略水平に接続される横枝管そのものである。
【００１２】
本発明において、前記水平部の管軸に直交する垂直面による排水減速部材の断面形状が、水平部の管軸を含む垂直面に関して面対称であることが好ましい。これにより、水衝部によって左右に分流された排水は、それぞれの流速および流量がほぼ等しくなるため、左右のどちらか一方の排水の水勢が強くなることがなく、分流した排水が再び合流する際に排水をほぼ等しい流速および流量で互いに衝突させて水勢を減衰させることができる。すなわち、一方の水勢が強い場合に、合流時に他方の水勢の弱い排水を押し込んで排水減速部材から旋回流となって排出され、排水集合管継手を飛び越えることを抑制することができる。
【００１３】
本発明において、前記水平部の管軸と直交する垂直面を投影面として水衝部を投影した際の投影面積が、排水減速部材を除く水平部の流水断面積の１／３以上であることが好ましい。これにより、排水減速部材に流入した排水の多くが水衝部に衝突することにより、減速されて左右に分流される。また、水衝部に衝突しない排水も、順次上流側から流下する排水とともに、左右に分流された排水と衝突することにより、減速される。したがって、排水減速部材に流入した排水は、減速され、水勢を弱められて排水減速部材から排出され、水勢の強いまま排出されにくいものとなる。
【００１４】
本発明において、前記排水減速部材の任意の箇所における流水断面積が、排水減速部材を除く水平部の流水断面積よりも大きいことが好ましい。これにより、排水減速部材に流入した排水が減速されて排出されることに伴って、減速されて左右に分流された排水に順次排水減速部材に流入した水勢の強い排水が衝突し、排水減速部材で排水の流れが停滞したとしても、停滞した排水を排水減速部材に貯水して横枝管が満水状態となることを防止できる。したがって、衛生設備の排水トラップの位置まで横枝管を満水状態とすることがなく、横枝管内が満水状態となってサイフォン現象により衛生設備の排水トラップが破封されことを防止できる。
【００１５】
本発明において、前記排水減速部材の上壁が平面であるとともに、少なくとも外方の側壁の上半部が上壁に略直交する垂直面であることが好ましい。これにより、排水減速部材に流入した排水が水衝部に衝突して分流される際、排水が水勢を弱めずに壁面に沿って旋回しようとしても、平面とされた排水減速部材の上壁に、あるいは、垂直面とされた外方の側壁に衝突するため、分流した排水が旋回流となることを抑制できる。
【００１６】
本発明の排水減速部材は、左右の側壁が外側に膨出されるとともに、内部に水衝部が設けられてなり、流入口より内部に流入した排水が水衝部に衝突して左方および右方へ分流され、分流された左右の排水が水衝部の背面側において衝突しつつ合流されて流出口より流出することを特徴とするものである。
【００１７】
本発明によれば、流入口を経て排水減速部材の内部に流入した排水は、水衝部に衝突して減速されるとともに、衝突によって分流した排水に順次流入する排水が衝突して減速され、左右に分流した排水が左右の側壁に衝突して減速され、左右の側壁に沿って流下する際の配管抵抗を受けて減速され、さらに、分流した左右の排水が水衝部の背面側において衝突しつつ合流し、水勢が減衰されて流出口から流出することにより、排水の流速を確実に減速させることができる。
【発明の効果】
【００１８】
本発明によれば、既存の排水集合管継手を用いて、一方の横枝管からの排水が対向する他方の横枝管に流入することを防止しつつ２本の横枝管を排水集合管継手に対向状態で接続することができる。また、排水の流速を確実に減速させることができる。
【発明を実施するための最良の形態】
【００１９】
以下、本発明の実施の形態について、図面を参照して説明する。
【００２０】
図１および図２には、本発明を多層建築物の排水システムの一実施形態が示されている。
【００２１】
この排水システム１は、集合住宅において、衛生設備として床排水式トイレＴに適用したもので、集合住宅の各階を縦方向に貫いて配管された排水立て管２と、排水立て管２に対して各階ごとに配設された排水集合管継手３と、排水集合管継手３とトイレＴとにわたって配管接続された一方の横枝管４と、排水集合管継手３と風呂などの衛生設備（図示せず）とにわたって配管接続された他方の横枝管４０とから構成され、一方の横枝管４と他方の横枝管４０は、排水集合管継手３に同じ高さ位置に対向状態で接続されている。
【００２２】
排水集合管継手３は、従来よりよく知られているように、上端部および下端部に排水立て管２と接続するための上部継手部３１および下部継手部３２を備えているとともに、横枝管４，４０と接続するための横継手部３３，３３を同じ高さ位置に対向状態で備えている。
【００２３】
一方の横枝管４は、床Ｆと床スラブＳとの間に配管され、一端がトイレＴの排水管（図示せず）にエルボを介して接続され、他端が排水集合管継手３の一方の横継手部３３に接続されており、エルボおよび排水集合管継手３の間に水平部４１が形成されている。そして、横枝管４の水平部４１には、排水減速部材５が設けられている。
【００２４】
排水減速部材５は、図２に詳細に示すように、水平部４１の所定領域における左右の側壁を外側に膨出させるとともに、その内部に平板状の水衝部５１を上壁および下壁にわたって配設して構成されている。
【００２５】
ここで、排水減速部材５は、横枝管４の水平部４１の管軸と直交する垂直面による断面形状が、水平部４１の管軸を含む垂直面に関して面対称の長穴に形成されている他、その任意の箇所における流水断面積が、排水減速部材５を除く横枝管４の水平部４１の流水断面積よりも大きく設定されている。例えば、排水減速部材５の流水断面積が最も小さくなる水衝部５１の左方流路５Ｌおよび右方流路５Ｒの流水断面積は、図２（ｂ）に示すように、横枝管４の水平部４１の流水断面積とほぼ等しく設定されており、これにより、排水減速部材５の流水断面積は、排水減速部材５を除く横枝管４の水平部４１の流水断面積のほぼ２倍となっている。
【００２６】
また、横枝管４の水平部４１の管軸と直交する垂直面を投影面として水衝部５１を投影した際の投影面積は、排水減速部材５を除く横枝管４の水平部４１の流水断面積を覆う大きさの方形に形成されている。
【００２７】
次に、このように構成された横枝管４を流下する排水が排水減速部材５において減速される過程を説明する。
【００２８】
横枝管４の水平部４１を流下する排水が、流入口５ａを経て排水減速部材５の内部に流入すると、ほぼ全量が水衝部５１に衝突して水勢が減衰された後、水衝部５１を迂回して左方流路５Ｌおよび右方流路５Ｒに分流される。この際、排水減速部材５の、横枝管４の水平部４１の管軸と直交する垂直面による断面形状が、水平部４１の管軸を含む垂直面に関して面対称に形成されているため、減速された排水は、ほぼ均等に左方流路５Ｌおよび右方流路５Ｒに分流される。
【００２９】
一方、左右に分流された排水に順次排水減速部材５に流入する排水が衝突することから、排水の水勢はさらに減衰される。
【００３０】
ところで、減速されて左右に分流された排水に新たな排水が加わるため、排水の流れが停滞して水深が増加するが、排水減速部材５の流水断面積は、排水減速部材５を除く横枝管４の水平部４１の流水断面積より大きく設定されているため、停滞した排水を排水減速部材５に貯水することができ、横枝管４を流下する排水が、満水状態でトイレＴの排水トラップに達することがない。これにより、横枝管４が満水状態となってトイレＴの排水トラップまで排水が到達し、サイフォン現象によって排水トラップが破封することを防止できる。
【００３１】
さらに、左右に分流された排水は、左方流路５Ｌおよび右方流路５Ｒにおいて、側壁に衝突して減速されるとともに、屈曲した左方流路５Ｌおよび右方流路５Ｒを流下することによる配管抵抗を受けて減速された後、水衝部５１の背面側において衝突しつつ合流し、水勢が減衰されて流出口５ｂから排出される。この場合、左右に分流された排水は、ほぼ等しい流速と流量であることから、分流された排水の水勢を確実に減衰させることができる。すなわち、一方の水勢が強い場合のように、合流時に他方の水勢の弱い排水を押し込み、旋回流となって排水減速部材５から排出されることを防止でき、旋回流となった排水が排水集合管継手３を飛び越えて他方の横枝管４０に流入することを抑制できる。
【００３２】
このように、排水減速部材５に流入口５ａを経て流入した排水は、水衝部５１と衝突して減速され、衝突によって分流した排水に順次流入する排水が衝突して減速され、分流した排水が左右の側壁に衝突して減速され、左右の側壁に沿って流下する際の配管抵抗を受けて減速され、分流した排水が合流衝突して減速され、排水減速部材５を流出口５ｂを経て排出される。
【００３３】
したがって、排水減速部材５から排出された排水は、水勢が十分に減衰されており、これにより、排水集合管継手３を飛び越えて対向する他方の横枝管４０に流入するのを防止することができる。また、既存の排水集合管継手３を用いることができるため、限られた配管スペースに対応することが可能となる。
【００３４】
排水減速部材５としては、図２に示した例に限定するものではなく、例えば、図３に示すように、平板状の水衝部５１に代えて、断面菱形の四角柱状の水衝部５２を設けた排水減速部材５Ａであってもよく、また、詳細に図示しないが、頂角を流入口５ａと対向させた断面三角形の三角柱状や断面円形の円柱状であってもよい。このような水衝部５２などは、平板状の水衝部５１に比して、排水をより均等に左右に分流させることができる。さらに、図４に示すように、上壁との間に隙間を形成した堰状の水衝部５３を設けた排水減速部材５Ｂであってもよい。このような排水減速部材５Ｂにおいては、排水が、水衝部５３に衝突して左右に分流されるとともに、水衝部５３を乗り越えて流下し、これらの分流された排水が水衝部５３の背面側において合流するものとなる。このような排水減速部材５Ｂの水衝部５３では、紐状やシート状の雑物を上部に逃がすことができ、掃流性が向上する。
【００３５】
さらに、前述した排水減速部材５においては、横枝管４の水平部４１の管軸と直交する垂直面による断面形状が長穴、すなわち、上壁および下壁が平行な平板状で、側壁が断面半円状のものを例示したが、図５に示すように、側壁の上半部を立ち上げて平板状の上壁と略直交するような略馬蹄形状に形成した排水減速部材５Ｃてもよい。このような排水減速部材５Ｃの側壁形状の場合には、左右に分流された排水が、左右の流路５Ｌ，５Ｒ内で旋回した場合、上壁に衝突して、あるいは、側壁に衝突して旋回流となることを抑制することができる。
【００３６】
さらにまた、前述した排水減速部材５においては、断面長穴形状の略箱体に形成したものを例示したが、図６に示すように、円管状の横枝管４を２本に分岐させ、横枝管４の管径だけ横方向に離隔した後、再び１本の横枝管４に合体させて排水減速部材５Ｄを形成してもよい。このような２本の円管からなる排水減速部材５Ｄにおいては、２本の円管が交わって形成される分岐部分の相貫線から合体部分の相貫線までの各円管の内方側の断面半円状の側壁によって水衝部５４が形成される。
【００３７】
この場合、図７に示すように、横枝管４を逆馬蹄形状に形成し、逆馬蹄形状の横枝管４を２本に分岐させ、横枝管４の管径だけ横方向に離隔した後、再び１本の横枝管４に合体させて排水減速部材５Ｅを形成してもよい。このような２本の逆馬蹄形管からなる排水減速部材５Ｅにおいては、２本の逆馬蹄形管が交わって形成される分岐部分の相貫線から合体部分の相貫線までの各逆馬蹄形管の内方側の側壁によって水衝部５５が形成される。このような２本の逆馬蹄形状の管からなる排水減速部材５Ｅにおいては、前述したように、旋回流の発生を抑制することができる。
【００３８】
さらに、２本の円管や逆馬蹄形管からなる排水減速部材５Ｄ，５Ｅに代えて、２本の卵形管からなる排水減速部材であってもよい。
【００３９】
なお、前述した実施形態においては、排水減速部材５を床排水式トイレＴの横枝管４に適用した場合について説明したが、壁排水式トイレの横枝管に用いてもよい。この場合は、横枝管４のうち、クランク状の屈曲部を除く水平部４１に排水減速部材５を設ければよい。
【００４０】
また、排水減速部材５は、横枝管４の水平部４１に一体に設けてもよいし、横枝管４と別体に形成して必要に応じて接続して設けるようにしてもよい。
【図面の簡単な説明】
【００４１】
【図１】本発明の多層建築物の排水システムの一実施形態を一部省略して示す側面図および一部破断して示す平面図である。
【図２】図１の排水システムを構成する横枝管の排水減速部材を拡大して示す横断面図およびそのＡ−Ａ線断面図である。
【図３】本発明の排水システムを構成する横枝管の排水減速部材の他の実施形態を拡大して示す横断面図およびそのＢ−Ｂ線断面図である。
【図４】本発明の排水システムを構成する横枝管の排水減速部材のもう一つの実施形態を拡大して示す横断面図およびそのＣ−Ｃ線断面図である。
【図５】本発明の排水システムを構成する横枝管の排水減速部材のもう一つの他の実施形態を拡大して示す横断面図およびそのＤ−Ｄ線断面図である。
【図６】本発明の排水システムを構成する横枝管の排水減速部材のさらにもう一つの実施形態を拡大して示す横断面図およびそのＥ−Ｅ線断面図である。
【図７】本発明の排水システムを構成する横枝管の排水減速部材のさらなる他の実施形態を拡大して示す横断面図およびそのＦ−Ｆ線断面図である。
【符号の説明】
【００４２】
１  排水システム
２  排水立て管
３  排水集合管継手
４，４０  横枝管
４１  水平部
５，５Ａ，５Ｂ，５Ｃ，５Ｄ，５Ｅ  排水減速部材
５１，５２，５３，５４，５５  水衝部
Ｔ  トイレ
【図１】
2008157000.tif 000003
【図２】
2008157000.tif 000004
【図３】
2008157000.tif 000005
【図４】
2008157000.tif 000006
【図５】
2008157000.tif 000007
【図６】
2008157000.tif 000008
【図７】
2008157000.tif 000009